(57)【特許請求の範囲】
【請求項１】
ナットと、ブリッジと、前記ナットおよびブリッジにより支持された複数の弦とを備える弦楽器の指板において、
前記弦の下に位置する頂面および長手方向の軸線と、
指板の指押え点に対応して指板に配置された複数の立ち上がり演奏領域とを備え、各立ち上がり演奏領域は指板の前記長手方向の軸線と略平行する幅を有するとともに指板の前記頂面の上方に高さを有し、各立ち上がり演奏領域の前記幅は前記楽器を演奏する演奏者の指先が、前記立ち上がり演奏領域の幅と交差する所定の位置において前記弦のうちの１つの弦の振動の端点を選択的に画定しながら、前記立ち上がり演奏領域の前記１つの弦を指で押えることができるように十分な大きさに形成されているものであって、
前記各立ち上がり演奏領域は前記長手方向の軸線と交差する横方向の中心線を有し、前記各立ち上がり演奏領域の前記高さは前記各弦のすぐ下方の前記横方向の中心線において約０．２５乃至０．７６ｍｍ（０．０１０乃至０．０３０インチ）の範囲にあることを特徴とする弦楽器の指板。
【請求項２】
前記立ち上がり演奏領域の前記幅は１．６ｍｍ乃至６．２ｍｍの範囲にあることを特徴とする請求項１に記載の指板。
【請求項３】
前記複数の立ち上がり演奏領域の前記幅は前記楽器の前記ナットから前記楽器の前記ブリッジへかけて変位したときに前記幅が次の立ち上がり演奏領域の前記幅よりも大きくなるように比例した関係にあることを特徴とする請求項１に記載の指板。
【請求項４】
前記立ち上がり演奏領域の前記幅の前記比例関係は対数関係であることを特徴とする請求項３に記載の指板。
【請求項５】
前記各立ち上がり演奏領域の前記幅は次の立ち上がり演奏領域の前記幅の約１．０５９４６３１倍に等しいことを特徴とする請求項４に記載の指板。
【請求項６】
前記立ち上がり演奏領域の１つの幅は前記楽器の前記各弦の下で略同じであり、前記立ち上がり演奏領域はそれぞれ、前記各立ち上がり演奏領域の前記弦のうちの最も低い音を有する１つの弦の下にある部分が最も高い音の弦の下にある前記立ち上がり演奏領域の部分よりも前記ナットに近くなるように前記指板の前記長手方向の軸線と直交する線に対して鋭角をなして配向されていることを特徴とする請求項１に記載の指板。
【請求項７】
前記鋭角は各連続する立ち上がり演奏領域が前記ナットから前記ブリッジへ向けて変位するにつれて小さくなることを特徴とする請求項６に記載の指板。
【請求項８】
前記立ち上がり演奏領域は前記指板に一体的に形成されていることを特徴とする請求項１に記載の指板。
【請求項９】
前記立ち上がり演奏領域は前記指板に個別に取着されている別々のストリップに画定されていることを特徴とする請求項１に記載の指板。
【請求項１０】
前記各立ち上がり演奏領域は周辺縁部を有し、前記周辺縁部の少なくとも、前記弦の１つに隣接する部分は前記指板の前記頂面と滑らかに接合する羽状縁部であることを特徴とする請求項１に記載の指板。
【請求項１１】
前記各立ち上がり演奏領域の前記高さは約０．３８乃至０．６４ｍｍ（０．０１５乃至０．０２５インチ）の範囲にあることを特徴とする請求項１に記載の指板。
【請求項１２】
前記指板から垂直に立ち上がりかつ演奏者の目に最も近い前記各立ち上がり演奏領域の表面は演奏者には一層見え易くなるとともに、ほとんどの眺め角度からは視認することができないように前記立ち上がり演奏領域の残りの部分とは異なる色を有することを特徴とする請求項１に記載の指板。
【請求項１３】
弦を有する弦楽器の前記弦の下方に配置される指板に指位置決め手段を加えるキットにおいて、
複数の立ち上がった指位置決めストリップと、
前記各指位置決めストリップを前記指板に別々に取着する取着手段と、
前記各ストリップが前記弦と略交差して位置しかつ前記弦の下に位置するように前記指板の相対的位置に前記ストリップを配置する配置手段とを備え、
前記配置手段は前記指板の前記ストリップの前記正確な相対的位置に対応する複数の表示を有するストリップ位置表示体を備え、
前記ストリップ位置表示体はテンプレートであり、前記複数の表示は前記テンプレートに形成された複数の開口を有し、前記ストリップは前記テンプレートが前記指板上に配置されて前記ストリップを前記指板に配置したときに前記開口に収容されるようなサイズと形状を有することを特徴とするキット。
【請求項１４】
前記ストリップと前記テンプレートは、前記テンプレートの前記開口の周辺を画定するようにシートを切断することにより前記シートから形成され、前記周辺内の前記シートの部分が前記ストリップを画定することを特徴とする請求項１３に記載のキット。
【請求項１５】
前記ストリップと前記テンプレートは、前記複数のストリップの全てが同時に前記指板に配置され、次に前記テンプレートが除去されて前記指板の適正な相対的位置に前記ストリップを残すことができるようになっていることを特徴とする請求項１４に記載のキット。
【請求項１６】
前記ストリップと前記テンプレートは前記ストリップを前記指板に装着する前は互いに別体をなしていることを特徴とする請求項１３に記載のキット。
【請求項１７】
前記ストリップと前記テンプレートは異なる材料から形成されていることを特徴とする請求項１３に記載のキット。
【請求項１８】
前記楽器はバイオリンであり、
前記各立ち上がり指位置決めストリップは前記弦と交差する横方向の中心線を有し、かつ、前記各弦のすぐ下の前記横方向の中心線において約０．２５乃至０．７６ｍｍ（０．０１０乃至０．０３０インチ）の範囲にある肉厚を有することを特徴とする請求項１３に記載のキット。
【請求項１９】
前記肉厚さは約０．３８乃至０．６４ｍｍ（０．０１５乃至０．０２５インチ）の範囲にあることを特徴とする請求項１８に記載のキット。
【発明の詳細な説明】
【０００１】
【産業上の利用分野】
本発明は、弦楽器、より詳細に云うと、限定されるものではないが、弓で演奏するバイオリン族の楽器に関する。
【０００２】
【従来の技術】
バイオリン族の数多くの楽器は、滑らかで、フレットのない(non-fretted) 指板(fingerboard) を有している。かかる楽器には、バイオリン、チェロ、アップライトのベース即ちダブルベースおよび幾つかの電気ベースがある。これらの楽器は、かき鳴らし(plucking)により演奏されることがしばしばあるが、通常は、弓で演奏される。
【０００３】
【発明が解決しようとする課題】
滑らかな、フレットのない指板を有する弦楽器の演奏を習う場合の本質的な難点の１つは、指を置く指板にフレットがないので、弦を指で正しく押えて所望の音を正確に出すことができるようになるのに大変な経験が必要とすることにある。
【０００４】
先行技術の中には、当然のことであるが、ギターのような数多くのフレット付の弦楽器があるが、かかる楽器は、弦の振動の端点(end point) が、弦が保持されるフレットの縁部の位置により正確に定められるように、弦がフレットの縁部に対して押えつけられるようになっている。しかしながら、バイオリンに通常のフレットを使用する場合には、バイオリンの通常の演奏形態を阻害し、（弦を弓でひくときに指板に対して指先を素早く動かすことにより行なわれる）ビブラートを演奏することが不可能になる。更に、調子を繊細に変えることも不可能となる。
【０００５】
先行技術においては、バイオリンに対する指の位置決めを容易に行なうことができるようにする提案が数多くなされている。
【０００６】
クーンケ(Kuhnke)の米国特許第４，０２３，４６０号には、バイオリンの音調手段が開示されており、この装置においては、成形されたプラスチック部材が指板に取り付けられ、弦を取り付けることができる通常の持ち上げられたフレットを提供している。同様の構造体が、ワーニング(Warning) の米国特許第５２４，４２８号に開示されている。従来のフレットを開示する別の文献として、シュリンク(Schlink）の米国特許第５，０８５，１１５号、ボナー(Bonner)の米国特許第１，７９５，８２５号、ブラント(Brandt)の米国特許第７９８，８６９号、クロウ(Crow)の米国特許第１，２３７，８７２号およびリバーモア(Livermore) の米国意匠特許第２６，４２３号がある。
【０００７】
別のグループの先行技術文献には、弦に隣接しているが弦よりも下には配置されていない立ち上がった(raised)指位置決め手段装置を使用することが記載されているが、弦は実際には立ち上がり面に対してフレット付けされていない。かかる先行技術には、フィニー(Finney)の米国特許第９６７，５０７号、ラーネ(Rahne) の米国特許第１，３４８，８９４号およびフィッシュ(Fish)の米国特許第９３９，４８６号がある。
【０００８】
他のグループの文献には、指板の上面と面一をなすか、指板の上面からくぼんで配設されたストリップを使用する視覚および／または触覚の指位置指示器が提供されている。これらの文献には、コンソリ(Consoli) の米国特許第１，１２６，９５７号、同じくコンソリの米国特許第９７３，７１９号およびメインビー(Manby) の米国特許第１，０９５，９００号がある。
【０００９】
シェファー(Shaeffer)の米国特許第１，４７２，９４３号にも提案がなされているが、かかる提案は、複数の交差する溝が形成された指板を備え、指を溝内に押し付けることにより、弦を、隣接する溝間に画定されるフレットに対して保持するように構成されている。
【００１０】
かくして、バイオリンの従来の演奏モードを阻害することなく、指の位置決めを視覚的および触覚的に容易に行なうことができる、バイオリンのようなフレットのない弦楽器の指位置決め手段(finger positioning aid)が待望されている。更に、現存する指板に構造的なダメージを与えることなく、審美性を満足させる態様で現存のまたは新たに構成される楽器に容易に取着することができる装置も待望されている。
【００１１】
【課題を解決するための手段】
本発明の一の観点によれば、ナットと、ブリッジと、前記ナットおよびブリッジにより支持された複数の弦とを備えた弦楽器の指板が提供されている。この指板は、前記弦の下に位置する頂面および長手方向の軸線と、指板の正確な指押え点に対応して指板に配置された複数の立ち上がり演奏領域とを備え、各立ち上がり演奏領域は前記指板の前記長手方向の軸線と略平行する幅を有するとともに前記指板の前記頂面の上方の高さを有し、各立ち上がり演奏領域の前記幅は前記楽器を演奏する演奏者の指先が前記立ち上がり演奏領域において前記弦の１つを押えることができるように十分な大きさに形成され、指先は前記立ち上がり演奏領域の前記幅と交差する所定の位置において前記弦のうちの前記１つの弦の振動の端点を選択的に画定することを特徴とする構成に係る。
【００１２】
本発明の別の観点によれば、弦を有する弦楽器の前記弦の下方に配置される指板に指位置決め手段を加えるキットが提供されている。このキットは、複数の立ち上がった指位置決めストリップと、前記各指位置決めストリップを前記指板に別々に取着する取着手段と、前記各ストリップが前記弦と略交差して位置しかつ前記弦の下に位置するように前記指板の正確な相対的位置に前記ストリップを配置する配置手段とを備えることを特徴とする構成に係る。
【００１３】
【作用】
本発明の指板は、上記のように、ナットと、ブリッジと、ナットおよびブリッジにより支持された複数の弦とを備えた弦楽器に関するものである。指板は、弦の下に位置する頂面と、弦と略平行をなす長手方向の軸線とを有している。
【００１４】
複数の立ち上がり演奏領域は、指板の正確な指押え点に対応するように指板に配置されている。各立ち上がり演奏領域は、指板の長手方向の軸線と略平行する幅を有している。各立ち上がり演奏領域は、指板の頂面の上方に高さを有している。各立ち上がり演奏領域の幅は楽器を演奏する演奏者の指先が立ち上がり演奏領域において弦の１つを押えることができるように十分な大きさに形成され、指先は立ち上がり演奏領域の幅と交差する所定の位置において弦のうちの１つの弦の振動の端点を選択的に画定することができる。
【００１５】
本発明の改良された指板は、新しく製造される楽器に組み込むことができ、あるいは現存する楽器を改装する(retrofit)ためにキットを使用して装着することもできる。
【００１６】
演奏者は、バイオリンの滑らかな指板上において従来弦を指で押えていたのと実質上同じ態様で、立ち上がり演奏領域の頂部において弦を指で押える。かくして、指をストリップの幅方向と交差して動かすことができ、演奏者はビブラートおよび調子の変化を従来の態様で行なうことができる。
【００１７】
立ち上がり演奏領域は、審美性を保持した状態で指板に配設することができるように、指板の通常の頂面の上方へ極くわずかな距離だけ延びている。
【００１８】
更に、立ち上がり演奏領域の高さは、弦を指で押えている個所に隣接する指板の頂面に弦がぶつかるのを阻止することができるように画定されているので、従来の指板と比較して弦の振動の減衰を少なくすることができる。減衰が小さくなるので、弦の高さを一層低くすることができ、楽器の演奏がより簡単になる。
【００１９】
本発明の指板は、一層澄んだ音と一層明瞭な調音とを所望するプロの演奏者と、触覚および視覚上の参考を所望する初心者との双方に対して利点を発揮する。
【００２０】
本発明の数多くの目的、特徴および利点は、添付図面に関してなされている以下の説明により当業者が容易に理解することができるものである。
【００２１】
【実施例】
図面、特に、図１および図２について説明すると、弦楽器、即ち、バイオリンが参照番号１０により全体示されている。本発明は、数多くの異なる弦楽器、特に、バイオリン、ビオラ、チェロ、アップライトのベース即ちダブルベースおよび電気ベースのようなバイオリン族の弦楽器に適用することができるものである。本発明は、主として、滑らかな、フレットのない指板を共通して有するタイプの弦楽器に適用されるように構成されている。これらのタイプの楽器は、一般に、弓で演奏される楽器であるが、かき鳴らすこともできる。しかしながら、本発明は、従来のフレットを通常使用するタイプの弦楽器、例えば、ギター、バンジョーまたはマンドリンに対しても使用することができる。
【００２２】
楽器１０は、本体１２と、ネック１４とを有している。ナット１６がネック１４に配設され、ブリッジ１８が本体１２に配設されている。複数の弦、例えば、４本の弦２０、２２、２４および２６が、ネック１４から支持されている指板３０の頂面２８の上方でナット１６およびブリッジ１８により支持されている。チューニングキー３２、３４、３６および３８が、弦２０、２２、２４および２６のテンションをそれぞれ調整するように配設されている。
【００２３】
図４に明瞭に示すように、指板３０の頂面２８には、２４の立ち上がった演奏領域４２Ａ乃至４２Ｘが設けられている。指板３０は、図１の平面図に示すように外側境界部４０を有している。指板３０に配設された各立ち上がり演奏領域は、２オクターブの半音階の２４の音の１つの正確な指押え位置に対応する。
【００２４】
楽器１０と指板３０は、参照番号４４で全体示されている長手方向の軸線を有している。この長手方向の軸線は、弦２０乃至２４の長手方向と略平行するように説明することができるが、弦２０乃至２４は、実際には、長手方向４４に対してわずかに鋭角をなすように配置することができるものである。
【００２５】
各立ち上がり演奏領域４２は、長手方向の軸線４４および弦と略平行をなす幅４６を有している。演奏領域４２Ａ乃至４２Ｘの幅は、それぞれ、参照符号４６Ａ乃至４６Ｘで示されている。
【００２６】
４２Ａのような各立ち上がり演奏領域は、参照符号４８Ａで示す横方向の中心線のような、長手方向の軸線と交差する横方向の中心線４８を有するように説明することができる。図３に明瞭に示すように、各演奏領域４２は、ストリップのすぐ下方の横方向の中心線にある頂面２８の上方へ延びる高さ５０を有している。高さ５０は、バイオリンの場合には比較的小さく、好ましくは約０．５１ｍｍ（約０．０２０インチ）である。バイオリンの場合には、高さ５０は、約０．２５乃至０．７６ｍｍ（約０．０１乃至０．０３０インチ）、より好ましくは、約０．３８乃至約０．６４ｍｍ（約０．０１５乃至約０．０２５インチ）の範囲内にすべきである。別の楽器（即ち、ベース）の場合には、これらの数値は、楽器のサイズ、弦などに適するように変わる。
【００２７】
更に、高さ５０と略等しい肉厚のシムを用いてナット１６を持ち上げ、弦が立ち上がり演奏領域に対して振動するのを防止することが必要となる場合も考えられる。
【００２８】
各立ち上がり演奏領域４２の幅４６は、楽器を演奏する演奏者の指先５２が、特定の立ち上がり演奏領域４２の幅４６と交差する所定の位置において弦の１本の振動の端点を選択的に画定しながら、立ち上がり演奏領域の前記１本の弦を指で押えることができるように十分な大きさとなっている。指先５２は、弦を演奏領域４２の頂部に対して押し付けるが、これは、弦がフレットの限定された縁部に対して押し付けられる従来の先行技術のフレットとは異なるものである。
【００２９】
大きな幅の立ち上がり演奏領域を使用し、演奏者が立ち上がり演奏領域の頂部で演奏を行なうことにより、演奏者は、各音楽半音程からプラスまたはマイナスの調子変動を持つことができ、従って、聴覚的に明瞭な半音程に対して触覚的および視覚的ガイドを得ながらビブラートを行なうことができる。
【００３０】
各立ち上がり演奏領域の幅４６は、立ち上がり演奏領域の高さ５０に比べ、はるかに大きく設定されている。
【００３１】
各立ち上がり演奏領域の高さ５０は、弦を指で押える演奏領域４２に隣接する頂面２８に弦がぶつかるのを防止しあるいは少なくとも実質上減らすように十分な大きさとなっている。かくして、弦が振動すると、弦の振動の減衰が、立ち上がり演奏領域のない従来の先行技術の滑らかな指板と比較して少なくなる。従来の滑らかな指板の場合には、弦を指板の特定の場所に対して指で押えると、指で押えた場所に隣接する指板に対して振動を行なうようになり、かくして、弦の振動の減衰が幾分生ずるようになる。本発明は、かかる弦振動減衰現象をなくすことができるので、一層澄んだ音を出すことができるとともに、よりはっきりした調音(articulation)を行なうことができる。
【００３２】
各立ち上がり演奏領域４２は、指板の頂面２８と略平行に配向された略平坦な演奏領域である。この頂面は平坦な面には画定されないが、わずかに湾曲した頂面２８と略平行する湾曲面に近い。指板３０の頂面２８の湾曲は図５に明瞭に示されている。
【００３３】
図４に示すように、連続する演奏領域４２の幅４６は変化する。好ましくは、これらの幅は、ナット１６からブリッジ１８へ向けて変位するにつれて、各立ち上がり領域の幅が次の連続する立ち上がり演奏領域の幅よりも大きくなるように比例して関係づけられている。この比例関係は、好ましくは対数関係であり、より好ましくは２の１２乗根に基づく関係であり、この場合には各立ち上がり演奏領域の幅は次の連続する立ち上がり演奏領域の幅の約１．０５９４６３１倍に等しい。
【００３４】
隣接する立ち上がり演奏領域の対数関係は、各立ち上がり領域と各２分の１音程距離との間に一定の比例関係を保持する。
【００３５】
更に、各立ち上がり領域４２の幅４６は、理論的な隣接する半音程点間の距離の一定割合に等しいのが好ましい。好ましくは、かかる一定の割合は、バイオリンの場合には、ある点とそのすぐ前の点との間の距離の３分の１である。この３分の１の割合はバイオリンの場合である。かかる割合は、ベースのような他の楽器に関してはかなり変化し、ベースの場合には割合は著しく小さい。
【００３６】
好ましくは、各立ち上がり演奏領域４２の幅４６は、弦２０乃至２４のそれぞれの下で略同じである。更に、各立ち上がり演奏領域４２の中心線４８を、指板の長手方向の軸線に対して鋭角をなして配向することにより、Ｇ弦の下の各立ち上がり演奏領域の中心線４８が、Ｅ弦の下の立ち上がり演奏領域の中心線４８よりもナット１６に一層接近するようにするのが好ましい。
【００３７】
演奏領域のこのような角度配向は、弦の質量、テンション、弾性、高さおよび指押え技術の違いにより生ずる。
【００３８】
この角度は、ストリップごとにわずかずつ異なる。バイオリンの演奏領域の所望の配置の一例を示す下記の表１から明らかなように、角度は、ナットからブリッジへ変位するにつれて小さくなるのが好ましい。
【００３９】
図４に明瞭に示すように、立ち上がり演奏領域４２は指板３０の長手方向の第１の縁部５４および長手方向の第２の縁部５６まで、完全には延びないようにするのが好ましい。約１乃至２ｍｍの間隔５８が、バイオリンの場合に、立ち上がり演奏領域と縁部５４および５６との間に残るのが好ましい。
【００４０】
各立ち上がり演奏領域４２は、該領域の周囲を延びる周辺縁部６０を有している。周辺縁部の少なくとも、Ｅ弦に隣接しかつ指板３０の第２の縁部５６に最接近して延びる部分６２は、指板３０の頂面２８に円滑に接合する羽状に形成された(feathered) 縁部である。立ち上がり演奏領域４２の構成の態様により、各立ち上がり演奏領域４２の周辺部６０全体に亘って羽状形成縁部を提供することもできる。
【００４１】
この羽状に形成された縁部は、横断面図である図５に明瞭に示されている。
【００４２】
下記の表１は、本発明の一実施例における立ち上がり演奏領域４２Ａ乃至４２Ｘの幅と位置の一例を示す。この例は、ナット１６からブリッジ１８までの長さが標準的な３３０ｃｍのバイオリン弦を有する従来のバイオリンに関するものである。以下に示す寸法は、指板３０の頂面２８の面積の３３１／３パーセントに等しい立ち上がりストリップ４２の面積を有することを基準とするものである。第１の欄は、立ち上がり演奏領域を規定する。第２の欄は、ナット１６からＧ弦の下にあるストリップの中心線４８までの距離を記載する。第３欄は、ナット１６からＥ弦の下の中心線４８までの距離を規定し、かくして、第２の欄と組み合わせることにより、中心線４８が長手方向の軸線４４と交差する角度を規定する。第４欄は、立ち上がり演奏領域の幅を規定する。
【表１】
0003850455.tif 000002
【００４３】
表１において演奏領域に関して示されている位置は、所望の位置である。本発明においては、演奏者が、先行技術の場合のように別の異なるフレット縁部に対して指を押すのとは異なり、立ち上がった演奏領域の頂部に指を押し付けることからもわかるように、別の指押え位置があるのではなく、所望の指押え位置を見つけることができる領域があるので、立ち上がり演奏領域の位置間違いを本質的に許容することができる。これにより、演奏者は、弦の材料および構造のような可変因子を補償することもできる。
【００４４】
立ち上がり演奏領域４２は、種々の数多くの態様により指板３０に形成することができる。
【００４５】
立ち上がり演奏領域４２は、立ち上がり演奏領域４２を含むように指板３０を成形するか、あるいは滑らかな面を有する指板３０を用意し、次に、立ち上がり演奏領域を残すように指板の部分を機械加工により除去することにより、指板３０と一体的に形成することができる。
【００４６】
立ち上がり演奏領域を上記した態様のいずれかにより指板に一体的に形成すると、各立ち上がり演奏領域４２の周辺縁部６０は所望の態様で形成することができるとともに、上記したような最も好ましい羽状に形成された周辺縁部を取り入れることができる。
【００４７】
本発明はまた、指板３０に個々に取着される別体をなすストリップに画定された立ち上がり演奏領域により提供することができる。かかる構成の態様は、新しい楽器に対して使用することができ、あるいは現存する楽器を改装するために本発明の指位置決め手段を装着するためのキット(kit) の形態で使用することができる。
【００４８】
好ましくは、かかるキットは、立ち上がり演奏領域４２の１つがそれぞれ画定されている複数の立ち上がった指位置決めストリップを有するのが好ましい。
【００４９】
図６は、ある形態を有するキット６４を示す。キット６４は、ストリップを形成する材料からなるシート６６を有する。シート６６は、単一充実シートとすることができる。シート６６の内部は、参照符号６８で示す周辺を画定するように、ダイを用いるなどして切断しておくのが好ましい。これらの周辺は、充実シート６６内に開口７０を画定している。切断された周辺６８内に画定される材料７２の部分は、立ち上がり演奏領域４２Ａ乃至４２Ｘに対応する複数の立ち上がり指位置決めストリップ７２Ａ乃至７２Ｘを画定する。シート６６は、図５に示す頂面２８の湾曲を補完するように予め湾曲されている。
【００５０】
シート６６には、剥離支持体により覆われる背面側に粘着材料が付着されている。粘着剤は、各指位置決めストリップ７２を指板３０に別々に取着する取着手段を提供する。
【００５１】
各開口７０Ａ乃至７０Ｘは、各ストリップ７２が弦と略交差して位置しかつ弦の下に位置するように、指板３０の正確な相対位置にストリップ７２Ａ乃至７２Ｘを配置する配置手段７０Ａ乃至７０Ｘとして一般に説明することができる。
【００５２】
シート６６には、弦２０乃至２６の位置に対応するナット１６のノッチと整列されるようになっている４つの位置決め点７４、７６、７８および８０が画定されている。ブリッジに最も近い端部には、指板に対して視覚により心出しを行なうことができるように、スロット８４が設けられている。
【００５３】
開口７０はまた、ストリップ配置指示体７０あるいは指板３０に対するストリップ７２の正確な相対的位置に対応する表示体として説明することができる。
【００５４】
切断された周辺６８が画定されているシート６６は、複数の開口７０が画定されているテンプレート６６として説明することができる。ストリップ７２は、開口７０に収納されると説明することができる。
【００５５】
図６に示すキットを使用してバイオリンの指板に指位置決めストリップ７２を配置するには、ストリップ７２の背面の接着剤支持体を剥し、シート６６を指板３０に対して位置決めして、ナットのノッチとシート６６の外側縁部８２とに整列されている位置決め点７４乃至８０をナット１６に当接させる。ストリップ７２Ａ乃至７２Ｘは指板３０の頂面２８に押圧され、かつ、シート６６の残りのテンプレート部が剥され、指板３０の頂面２８の所定の位置にストリップ７２だけを残す。
【００５６】
図６に示す実施例を採用することにより、羽状縁部がストリップを装着した後にサンダー仕上げなどにより形成されない場合に、あるいは切断工程により縁部が幾分丸くされまたは羽状に形成されない場合に、各ストリップの周辺全体に亘って羽状縁部を提供することができるようになる。しかしながら、幅方向と交差する方向の肉厚を変えるようにシートを形成することにより、好ましくはストリップの肉厚にテーパを付すことができる。
【００５７】
別の形態をなすキットを、シート６６のテンプレート部分をストリップ７２とは別に形成することにより得ることができる。かくして、テンプレートシートは、例えば、簡単な紙テンプレートのような、ストリップ７２とは異なる材料から形成することができる。
【００５８】
テンプレートシートをストリップ７２と一体的に形成しない場合には、テンプレートシートは上記したのと同様の態様で指板３０に位置決めされ、次いで、個々のストリップ７２Ａ乃至７２Ｘを開口７０Ａ乃至７０Ｘに配置して指板３０の頂面２８に押しつける。各ストリップ７２Ａ乃至７２Ｘは接着剤支持体を有するが、テンプレートシートは、この特定の実施例の場合には、接着剤支持体を備える必要はない。ストリップ７０は、図５に示す面２８に整合する曲率をもって成形即ち形成するようにすべきである。
【００５９】
ストリップがテンプレートシートとは別に個々に形成されるこの第２の実施例の場合には、ストリップに幾分羽状に形成された縁部を形成することが可能である。
【００６０】
指板３０の構成のある共通の形態によれば、指板３０はフェノール即ち漆黒の(ebony) 材料から構成することができる。かくして、ストリップ７２は、この同じフェノール材料からなる薄肉のシート６６から形成することもできる。好ましくは、ストリップ７２は、指板３０を形成する材料と同じ色の材料、多くの場合には、黒色材料から形成される。
【００６１】
更に、ブリッジに最も近いストリップ４２の縁部をより明るい色にすることにより、演奏者にとって一層見え易くするとともに、ほとんどの角度から視認されないようにするのが望ましい。
【００６２】
これにより、外観の審美性を高めることができ、楽器をどんな距離から見ても比較的低い立ち上がりストリップはほとんど目視することはできず、外観の審美性を高めることができる。
【００６３】
本発明の立ち上がり演奏領域はまた、該立ち上がり演奏領域が形成された完全な取替え指板により提供することにより、この指板を以前あった指板の代わりにバイオリンのネックに取着することができる。
【００６４】
本発明の立ち上がり演奏領域を提供する更に別の態様は、立ち上がり演奏領域が形成された持久性のある支持シートを提供するものであり、立ち上がり演奏領域を含むシート全体が、接着剤などにより現在ある指板に半永久的に取着される。
【００６５】
【発明の効果】
本発明の利点は、適宜の指押え点の表示がない従来の滑らかな指板よりも、「正しい調子で」("in tune") 演奏することがはるかに容易となることにある。更に、本発明は、立ち上がり演奏領域が指押え点にすぐ隣接した頂面２８の残りの部分よりも上方に弦を保持するようになっているので、弦の振動の減衰がより少なく、一層明瞭な音を発生することができる。更にまた、一層明瞭な調音を行なうことができるが、これは特に早い楽節において顕著である。
【００６６】
かくして、本発明の装置は、上記した目的と利点を容易に達成することができる。本発明をある好ましい実施例に関して例示を目的として説明したが、特許請求の範囲に記載の本発明の範囲と精神において数多くの変更を当業者が行なうことができるものである。
【図面の簡単な説明】
【図１】  ごく幾つかの指位置決めストリップが実際に示されているバイオリンの平面図である。
【図２】  図２のバイオリンの側面図である。この図は縮尺されているので指位置決めストリップの高さは示されていない。
【図３】  演奏家が立ち上がり演奏領域の１つの頂部に弦を指で押える態様を示す図１のバイオリンの拡大部分側面図である。
【図４】  図１の楽器の指板の拡大平面図である。代表的なバイオリンの２４の全ての立ち上がり演奏領域が示されている。
【図５】  バイオリンのネックの部分における図１の５−５線横断正面図である。演奏領域の縁部を好ましくは羽状に形成する態様を示す。更に、指板の頂面の上方の演奏領域の高さを示す。
【図６】  現存するバイオリンの立ち上がり演奏領域を逆に装着する装具を提供する一体ストリップを有するテンプレートの平面図である。
【符号の説明】
１０  楽器
１２  本体
１４  ネック
１６  ナット
１８  ブリッジ
２０、２２、２４、２６  弦
２８  頂面
３０  指板
３２、３４、４６、３８  チューニングキー
４２、４２Ａ−４２Ｘ  立ち上がり演奏領域
４４  長手方向の軸線
４６、４６Ａ−４６Ｘ  幅
４８、４８Ａ  横方向の中心線
５０  高さ
５２  指先
５４、５６  長手方向の縁部
６０  周辺縁部
６４  キット
６６  シート
６８  周辺
７０  開口
７２、７２Ａ−７２Ｘ  立ち上がり指位置決めストリップ
７４、７６、７８、８０  位置決め点
８４  スロット
【図１】
0003850455.tif 000003
【図２】
0003850455.tif 000004
【図３】
0003850455.tif 000005
【図４】
0003850455.tif 000006
【図５】
0003850455.tif 000007
【図６】
0003850455.tif 000008